(57)【要約】【課題】ペットを開放環境下でブラッシングすることができ、しかもその際、ペットの抜け毛が飛散するようなことがなく、更に、操作者がブラッシング操作をやり易いペットのブラッシング装置を提供することを目的とする。【解決手段】内部が通気性の多孔質材料からなる仕切り板４で上部室１ａと下部室１ｂに分離されて、前記上部室１ａ上方に設けられた、ペットの出し入れとブラッシング操作の際に操作者が手を入れるための開口部と、前記下部室１ｂに収納された、前記下部室１ｂ内の空気を排出する排気ポンプ５とを有するのでペットを開放環境下でブラッシングすることができ、しかもその際、ペットの抜け毛が飛散するようなことがなく、更に、操作者がブラッシング操作をやり易いペットのブラッシング装置１を提供することができる。【選択図】図１
0003125669.tif 000002
【実用新案登録請求の範囲】
【請求項１】
内部が多孔性の仕切り板で上部室と下部室に分離された箱体と、
前記上部室上方に設けられた、ペットの出し入れとブラッシング操作の際に操作者が手を入れるための開口部と、
前記下部室に収納された、前記下部室内の空気を排出する排気装置と
を有することを特徴とするペットのブラッシング装置。
【請求項２】
前記箱体が、前記上部室と前記下部室との境界部で分割されるとともに、両室の接合部にはそれぞれフランジが形成され、これらのフランジが係止部材により着脱自在に固定されてなることを特徴とする請求項１記載のペットのブラッシング装置。
【請求項３】
前記排気装置は、下部室からの排気を上部室の開口部に導きペットに対して下向きの送風を行うダクトを有することを特徴とする請求項１または２に記載のペットのブラッシング装置。
【請求項４】
前記下部室内には、下部室の空気に芳香を付与する芳香発生手段を有することを特徴とする請求項１乃至３いずれか１項に記載のペットのブラッシング装置。
【考案の詳細な説明】
【技術分野】
【０００１】
本考案は、ペットにブラッシングを行う際に用いるペットのブラッシング装置に関する。
【背景技術】
【０００２】
従来から、犬や猫のような有毛のペットにブラッシングを行う際に用いるペットのブラッシング装置として、ペットを収容する箱体の側面にブラッシングを行う操作者が箱体内に手を入れるための操作孔を設けた構造のものが知られている（例えば、特許文献１参照）。
【０００３】
このようなブラッシング装置では、箱体内にペットを入れた状態で操作者が操作孔から箱体内へ手を入れてほぼ密閉状態の箱体内でペットのブラッシング操作が行われる。
【特許文献１】特開２００２−６５０９４号公報
【考案の開示】
【考案が解決しようとする課題】
【０００４】
しかし、上述するブラッシング装置では、ペットが密閉された箱体内に置かれるため怖がって暴れてしまうことがある上に、操作者のブラッシング動作が操作孔の大きさに制限されるためブラッシング操作が行いにくいという問題があった。
【０００５】
上記問題を解消するために、箱体を透明材料で構成することも考えられるが、ペットにとっての密閉空間であることには変わりはないので効果が不十分であり、また、操作孔を十分大きくした場合には、ブラッシング操作によって抜けたペットの毛が操作孔から外部に飛散してしまうという問題があった。
【０００６】
本考案は、かかる従来の問題を解消すべくなされたもので、ペットを開放環境下でブラッシングを行うことができ、しかもその際、ペットの抜け毛が飛散するようなことがなく、更に、操作者がブラッシング操作をやり易いペットのブラッシング装置を提供することを目的とする。
【課題を解決するための手段】
【０００７】
かかる問題を解決するために本考案のペットのブラッシング装置は、内部が多孔性の仕切り板で上部室と下部室に分離された箱体と、前記上部室上方に設けられた、ペットの出し入れとブラッシング操作の際に操作者が手を入れるための開口部と、前記下部室に収納された、前記下部室内の空気を排出する排気装置とを有することを特徴とする。
【０００８】
なお、前記箱体は、一体物である必要はなく、上部室と下部室との境界部で分割されるとともに、両室の接合部にはそれぞれフランジが形成され、これらのフランジが係止部材により着脱自在に固定されてなるものが適している。
【０００９】
また、前記排気装置は、下部室からの排気を上部室の開口部に導きペットに対して下向きの送風を行うダクトを有することが望ましい。
【００１０】
なお、前記下部室内には、下部室の空気に芳香を付与する芳香発生手段を有することがより望ましい。
【考案の効果】
【００１１】
本考案のペットのブラッシング装置では、箱体の下部室に設けられた排気装置により上部室内に空気の下降流が生じ、ペットの抜け毛は多孔性の仕切り板に捕捉されるため周囲に飛散するようなことはない。
【００１２】
したがって、箱体の上方に開口部を大きく設けることができ、このため、ペットも安心して暴れるようなことがなくなり、操作者も操作の手の自由度が大きくなって操作を容易に行うことができる。
【考案を実施するための最良の形態】
【００１３】
以下本考案の第１の実施の形態を、図面を参照して説明する。
[第１実施形態]
図１及び図２に示すように、本考案の一つの実施形態にかかるブラッシング装置１は、上部室１ａを構成する透明プラスチック材料からなる枠体２と、下部室１ｂを構成する有底の浅箱３と、枠体２と浅箱３の間に配置されて上部室１ａと下部室１ｂ間を仕切る通気性の多孔質材料からなる仕切り板４と、下部室１ｂ内に配置された下部室内の空気を排出する排気ポンプ５と電源装置６から主として構成されている。
【００１４】
枠体２の下部縁と浅箱３の上部縁にはフランジ２ａ，３ａが形成され、これらのフランジ２ａ，３ａは、ブラッシング装置１の組み立て時に重ね合わされる。重ね合わせ部には断面コ字状の係止部材７が一端側からファスナー状に係合され、フランジ２ａ，３ａとを着脱自在に固定する。
【００１５】
上記フランジ２ａの内側の位置には、ステンレス製の金網９を載置させるための突条８が突設されている。
【００１６】
金網９は、枠体２の上部開口より嵌挿されて突条８上に載置される。なお、金網９の網目は、ブラッシング操作を行った際に生じるペットの毛によって目詰まりを起こさない目の粗いものが適している。
【００１７】
浅箱３のフランジ３ａの内側の位置からやや下の位置には浅箱３の縁部に沿って段部１０が形成されており、この段部１０に仕切り板４が嵌め込まれている。
【００１８】
したがって、金網９と仕切り板４との間には、間隙が生じ、ペットのブラッシング操作を行った際に生じる抜け毛の相当部分は金網９を通過して仕切り板４に捕捉され、この間隙に堆積する。
【００１９】
排気ポンプ５は電源装置６から電源を供給され、下部室１ｂ内の空気を図示を省略した排気口から外部に排出する。
【００２０】
この実施の形態では、次のようにして、有毛のペットのブラッシングが行われる。
【００２１】
すなわち、まず、電源装置６から電源を排気ポンプ５に供給して下部室１ｂの空気の排気が行われている状態で、ブラッシングしようとするペットを、上部室１ａである枠体２内に入れ金網９の上へ載せる。
【００２２】
次に一方の手でペットが動かないように押さえ、他方の手でブラシを持ってペットのブラッシングを行う。
【００２３】
このブラッシング操作により、ペットから抜け毛が生じるが、下部室１ｂからの排気によって上部室１ａ内の空気が下部室１ｂ内に吸引され下降流を生じているため、抜け毛は、上部室１ａの底部に吸引されて金網９を通過して仕切り板４上に堆積し周囲に飛散するようなことはない。
【００２４】
ブラッシング終了してペットを上部室１ａから取り出した後、金網９を取り外して仕切り板４上に堆積した抜け毛を取り除き適宜清掃を行うが、必要に応じて、係止部材７を取り外して、枠体２と浅箱３とを分離して仕切り板４も取り外して浅箱３内も清掃するようにしてもよい。
【００２５】
なお、この実施の形態では、多孔質の仕切り板４の上に突条８の高さ分だけ隙間を空けて金網９を載置した例について説明したが、必要に応じて、いずれかを省略することも可能である。
【００２６】
また、枠体２と浅箱３とを係止する手段として、これらに設けたフランジ２ａ，３ａと、これらのフランジ２ａ，３ａを係止する断面コ字状の係止部材７を用いた例を説明したが、本考案はかかる実施形態に限定されるべきものではなく、ボルト留め、クリップ留めなど任意の係止手段で代替することが可能である。
【００２７】
枠体２及び浅箱３の形状についても特に限定されず例えば断面円形状の箱体などを用いるようにしてもよい。
【００２８】
次に、本考案の第２の実施形態にかかるブラッシング装置１について説明する。
[第２実施形態]
この実施形態のブラッシング装置１は、図３及び図４に示すように、第１実施形態の排気装置の構成を変えて、下部室１ｂ内に芳香剤付与装置１２を配置し、下部室１ｂからの排気を排気ダクト１２により芳香付与装置１１を経て上部室１ａ内のペットの上方に導き、ここからペットに吹き付けるようにしたものである。
【００２９】
なお、以下の説明では、第１実施形態と同一部分については、同一符号を付して重複する説明は省略する。
【００３０】
この実施の形態における排気ダクトは、仕切り板４の下面側に配置された下部室１ｂの中央の基管から分岐して四隅に向かう十字状の下部室内１ｂに置かれる部分と、この十字状のそれぞれの先端から下部室１ｂの四隅に沿って立ち上がり、仕切り板４と金網９を貫通して上部室１ａの上部にまで導かれ、ここからペットの置かれる位置へ先端開口が向くように斜め下方に曲げられた上部室内１ａに置かれる部分からなっている。
【００３１】
排気ポンプにより吸引された下部室１ｂ内の空気は、排気ダクト１２を介して芳香剤を収容した芳香付与装置１１を通過し、ここで芳香を付与されて排気ダクト１２の中心から十字型の排気ダクト１２に入り、先端開口からペットへ向けて放出される。
【００３２】
この実施形態のブラッシング装置１では、上部室１ａへ導かれた空気は、ペットに向かって排出されるため、ブラッシング操作によって生じた抜け毛は上部室１ａの底部に向けて吹き付けられ、一方、上部室１ａ底部では、第１実施形態と同様に下部室１bに向かって下降流が生じているので、排気によって吹き飛ばされた抜け毛は、下降流によって上部室１ａ底部に吸引され、仕切り板４に捕捉される。
【００３３】
すなわち排気ダクト１２を備えることによってペットの抜け毛が上部室１ａの底部に吹き付けられるので、より一層仕切り板４に捕捉されやすくなり、抜け毛の飛散の防止を吸引のみで行う場合に比べてより確実に防止することができる。さらに、芳香付与装置１１を備えているのでブラッシング操作と同時に簡便にペットの匂い付けを行うことができる。
【図面の簡単な説明】
【００３４】
【図１】本考案の一つの形態にかかるブラッシング装置の構成図。
【図２】図１に示したブラッシング装置の断面図。
【図３】図４のＢ−Ｂ線に沿って模式的に示す断面図。
【図４】金網９と仕切り板４とを透視して図３のＡ−Ａ線に沿って模式的に示す上方からの断面図。
【符号の説明】
【００３５】
１…ブラッシング装置、１ａ…上部室、１ｂ…下部室、２…枠体、２ａ，３ａ…フランジ、３…浅箱、４…仕切り板、５…排気ポンプ、６…電源装置、７…係止部材、８…突条、９…金網、１０…段部、１１…芳香付与装置、１２…排気ダクト。
【図１】
0003125669.tif 000003
【図２】
0003125669.tif 000004
【図３】
0003125669.tif 000005
【図４】
0003125669.tif 000006